(57)【要約】      （修正有）【課題】収納されている薬液等の使用時に蓋部材を外し易く、使用者の指先の損傷を防ぐことができる薬用瓶の蓋を提供する。【解決手段】薬用瓶１の蓋は、瓶口１ａに固定されている口金１０と、口金に係止されている保護部材本体３０と、保護部材本体に係止されている蓋部材４０とによって構成されている。保護部材本体３０の周胴部３１の外観形状は多角柱であり、その外接円の直径は、円盤形状の蓋部材４０の直径以下の値となるように選ばれている。蓋部材は周胴部から突出した状態になっており、外し易い。【選択図】図２
0003197164.tif 000002
【実用新案登録請求の範囲】
【請求項１】
ゴム栓によって瓶口が閉塞されている薬用瓶の蓋であって、当該瓶口に冠着可能な逆有底円筒状のアルミ等の金属薄板からなる口金と、該口金に冠着可能な逆有底筒状の合成樹脂製の保護部材本体と、該保護部材本体の上面を覆い当該保護部材本体を介して前記口金に係止可能な円盤状の合成樹脂製の蓋部材との組み合せからなり、
前記口金は、円筒体からなる周胴部の上面に頂面板を一体的に形成することによって構成され、前記頂面板にはその中央部に円形の口金透孔が穿設され、
前記保護部材本体は、内側に円柱状の空間が形成されている多角柱体の周胴部の上面に頂面板を一体的に形成することによって構成され、前記多角柱体の周胴部の当該多角形の外接円の直径は前記円盤状の蓋部材の直径以下の値となるように選ばれ、前記頂面板にはその中央部に、前記口金透孔の直径以下の直径を有する円形の保護部材透孔が形成され、当該保護部材透孔を形成する前記保護部材本体の内側エッジ部分の下側には、前記口金透孔に嵌合可能な下方に向って延在する円筒部材の下端側を周辺方向に向って倒伏させることによって形成される円盤状の保護縁部であって前記保護部材本体の内側エッジ部分との間に位置する前記口金透孔を形成する前記口金の内側エッジ部分を前記保護部材本体の内側エッジ部分と協働して挟持する保護縁部が形成され、
前記蓋部材の下面側の中央部には、当該蓋部材を前記保護部材本体を介して前記口金上に載置させた際に、前記保護部材本体の保護部材透孔に嵌合可能な円筒状の係止部材であって、その下端側に前記保護縁部に沿って周辺方向に向って倒伏可能な倒伏部が形成された係止部材が配設され、前記倒伏部の長さは倒伏させた際に前記保護縁部の最下端部に至らない長さとなるように選ばれていることを特徴とする薬用瓶の蓋。
【請求項２】
ゴム栓によって瓶口が閉塞されている薬用瓶の蓋であって、当該瓶口に冠着可能な逆有底円筒状のアルミ等の金属薄板からなる口金と、該口金に冠着可能な逆有底筒状の合成樹脂製の保護部材本体と、該保護部材本体の上面を覆い当該保護部材本体を介して前記口金に係止可能な円盤状の合成樹脂製の蓋部材との組み合せからなり、
前記口金は、円筒体からなる周胴部の上面に頂面板を一体的に形成することによって構成され、前記頂面板にはその中央部に円形の口金透孔が穿設され、
前記保護部材本体は、内側に円柱状の空間が形成されている多角柱体の周胴部の上面に頂面板を一体的に形成することによって構成され、前記多角柱体の周胴部の当該多角形の外接円の直径は前記円盤状の蓋部材の直径以下の値となるように選ばれ、前記頂面板にはその中央部に、前記口金透孔の直径以下の直径を有する円形の保護部材透孔が形成され、当該保護部材透孔を形成する前記保護部材本体の内側エッジ部分の下側には、前記口金透孔に嵌合可能な下方に向って延在する円筒部材の下端側を周辺方向に向って倒伏させることによって形成される円盤状の保護縁部であって前記保護部材本体の内側エッジ部分との間に位置する前記口金透孔を形成する前記口金の内側エッジ部分を前記保護部材本体の内側エッジ部分と協働して挟持する保護縁部が形成され、
前記蓋部材の下面側の中央部には、当該蓋部材を前記保護部材本体を介して前記口金上に載置させた際に、前記保護部材本体の保護部材透孔に嵌合可能な円筒状の係止部材であって、その下端側に前記保護縁部に沿って周辺方向に向って倒伏可能な倒伏部が形成された係止部材が配設され、前記倒伏部の厚みが前記係止部材の他の部分の厚みに比して薄くなるような厚みとなっていることを特徴とする薬用瓶の蓋。
【考案の詳細な説明】
【技術分野】
【０００１】
本考案は、注射剤等の薬液や粉末状の薬を収納する薬用瓶の瓶口に装着する薬用瓶の蓋に関するものである。
【背景技術】
【０００２】
図５は従来の薬用瓶の蓋の構成を示す分解斜視図であり、図６は従来の薬用瓶の蓋を薬用瓶１の瓶口１ａに装着した際の構成を示すもので、図６（ａ）は外観の斜視図、図６（ｂ）は断面図である。図５および図６において、薬液等が収納されている薬用瓶１の瓶口１ａには口金１０が巻締め固定されており、その上部には保護部材本体３０と蓋部材４０とが係止されている。
【０００３】
この薬用瓶の蓋は、アルミ等の軟質金属薄板によって逆有底円筒状に形成した口金１０と、前記口金１０の上半部に冠着させることのできる合成樹脂製の保護部材本体３０と合成樹脂製の蓋部材４０との組み合わせによって構成されている。
【０００４】
口金１０は、適宜の高さをした周胴部１１の上面に頂面板１２を一体的に形成することによって逆有底円筒状に形成されている。
【０００５】
１３は頂面板１２の中央部に穿設した透孔であり、この透孔１３を通して薬用瓶１の瓶口１ａに嵌装したゴム栓３の上面が露出できるようになっている。
【０００６】
保護部材本体３０は、口金１０の上部に冠着する部材であり、周胴部３１の上面に頂面板３２を一体的に形成することによって構成されている。頂面板３２の中央部には、口金１０の口金透孔１３の直径以下の直径を有する円形の保護部材透孔３３が形成されている。
【０００７】
３４は円盤状の保護縁部であり、保護部材透孔３３を形成する内側エッジ部分３２ａの下側に、周辺方向に延在するように内側エッジ部分３２ａに連設されているものである。この円盤状の保護縁部３４と上側の内側エッジ部分３２ａとによって、その間に存在している口金１０の内側エッジ部分１２ａは挟持された状態となっている。
【０００８】
この保護縁部３４は、保護部材透孔３３の下面側に、あらかじめ口金透孔１３に嵌合する円筒状の部材を形成しておいて、その円筒状の部材を口金透孔１３に嵌合させた状態で口金１０の内側から折り曲げ加圧して、押し広げながら円盤状となるように倒伏させることによって形成することができる。
【０００９】
蓋部材４０は、保護部材本体３０の頂面板３２を覆う円盤状の部材であり、その中央部の下面側には、保護縁部３４に沿うように倒伏させることによって、保護部材本体３０の保護縁部３４を介して口金１０の内側エッジ部分１２ａに係止可能な係止部材４１が形成されている。このように、口金１０に係止されている蓋部材４０は、薬液等の使用に際しては、口金１０から外すことが出来るように構成されている。
【００１０】
以上のように構成された従来の薬用瓶の蓋は、、保護部材本体３０の内側エッジ部分３２ａとその下側保護縁部３４とによって、口金１０の内側エッジ部分１２ａが挟持されるように構成されているので、口金１０の内側エッジ部分１２ａに口金１０の加工時に金属の細片や粉末が付着したとしても、蓋部材４０を外す際にそれらの細片や粉末がゴム栓３の上面に落下するような事はない。
【考案の概要】
【考案が解決しようとする課題】
【００１１】
以上説明した構成の従来の薬用瓶の蓋においては、保護部材本体３０の円形の頂面板３２の上部に略同形の蓋部材４０が密着した状態で装着されており、且つ、蓋部材４０の係止部材４１がゴム栓３の上面と保護縁部３４の下面とによって挟持された状態となっているために、薬液等の使用時に蓋部材４０が外しにくいという問題点があった。殊に病院等で多数の蓋部材４０を外す必要があるときには、使用者が指先を傷めてしまうという虞があった。
【課題を解決するための手段】
【００１２】
以上の問題を解消するために、本考案の第１の手段は、ゴム栓によって瓶口が閉塞されている薬用瓶の蓋であって、当該瓶口に冠着可能な逆有底円筒状のアルミ等の金属薄板からなる口金と、該口金に冠着可能な逆有底筒状の合成樹脂製の保護部材本体と、該保護部材本体の上面を覆い当該保護部材本体を介して前記口金に係止可能な円盤状の合成樹脂製の蓋部材との組み合せからなり、前記口金は、円筒体からなる周胴部の上面に頂面板を一体的に形成することによって構成され、前記頂面板にはその中央部に円形の口金透孔が穿設され、前記保護部材本体は、内側に円柱状の空間が形成されている多角柱体の周胴部の上面に頂面板を一体的に形成することによって構成され、前記多角柱体の周胴部の当該多角形の外接円の直径は前記円盤状の蓋部材の直径以下の値となるように選ばれ、前記頂面板にはその中央部に、前記口金透孔の直径以下の直径を有する円形の保護部材透孔が形成され、当該保護部材透孔を形成する前記保護部材本体の内側エッジ部分の下側には、前記口金透孔に嵌合可能な下方に向って延在する円筒部材の下端側を周辺方向に向って倒伏させることによって形成される円盤状の保護縁部であって前記保護部材本体の内側エッジ部分との間に位置する前記口金透孔を形成する前記口金の内側エッジ部分を前記保護部材本体の内側エッジ部分と協働して挟持する保護縁部が形成され、前記蓋部材の下面側の中央部には、当該蓋部材を前記保護部材本体を介して前記口金上に載置させた際に、前記保護部材本体の保護部材透孔に嵌合可能な円筒状の係止部材であって、その下端側に前記保護縁部に沿って周辺方向に向って倒伏可能な倒伏部が形成された係止部材が配設され、前記倒伏部の長さは倒伏させた際に前記保護縁部の最下端部に至らない長さとなるように選ばれていることを特徴とするものである。
【００１３】
以上の問題を解消するために、本考案の第２の手段は、ゴム栓によって瓶口が閉塞されている薬用瓶の蓋であって、当該瓶口に冠着可能な逆有底円筒状のアルミ等の金属薄板からなる口金と、該口金に冠着可能な逆有底筒状の合成樹脂製の保護部材本体と、該保護部材本体の上面を覆い当該保護部材本体を介して前記口金に係止可能な円盤状の合成樹脂製の蓋部材との組み合せからなり、前記口金は、円筒体からなる周胴部の上面に頂面板を一体的に形成することによって構成され、前記頂面板にはその中央部に円形の口金透孔が穿設され、前記保護部材本体は、内側に円柱状の空間が形成されている多角柱体の周胴部の上面に頂面板を一体的に形成することによって構成され、前記多角柱体の周胴部の当該多角形の外接円の直径は前記円盤状の蓋部材の直径以下の値となるように選ばれ、前記頂面板にはその中央部に、前記口金透孔の直径以下の直径を有する円形の保護部材透孔が形成され、当該保護部材透孔を形成する前記保護部材本体の内側エッジ部分の下側には、前記口金透孔に嵌合可能な下方に向って延在する円筒部材の下端側を周辺方向に向って倒伏させることによって形成される円盤状の保護縁部であって前記保護部材本体の内側エッジ部分との間に位置する前記口金透孔を形成する前記口金の内側エッジ部分を前記保護部材本体の内側エッジ部分と協働して挟持する保護縁部が形成され、前記蓋部材の下面側の中央部には、当該蓋部材を前記保護部材本体を介して前記口金上に載置させた際に、前記保護部材本体の保護部材透孔に嵌合可能な円筒状の係止部材であって、その下端側に前記保護縁部に沿って周辺方向に向って倒伏可能な倒伏部が形成された係止部材が配設され、前記倒伏部の厚みが前記係止部材の他の部分の厚みに比して薄くなるような厚みとなっていることを特徴とするものである。
【考案の効果】
【００１４】
本考案によれば、収納されている薬液等の使用時において、従来の薬用瓶の蓋に比して蓋部材を外し易くすることができて、使用者の指先の損傷を防ぐことができる。
【図面の簡単な説明】
【００１５】
【図１】本考案の実施例１の構成を示す分解斜視図である。
【図２】本考案の実施例１を薬用瓶１の瓶口１ａに装着した際の構成を示す構成図であり、（ａ）は外観の斜視図、（ｂ）は断面図である。
【図３】本考案の実施例１の構成の説明図である。
【図４】本考案の実施例１の構成の説明図である。
【図５】従来の薬用瓶の蓋の構成を示す分解斜視図である。
【図６】従来の薬用瓶の蓋の構成の説明図である。
【考案を実施するための形態】
【００１６】
以下、図面を用いて本考案の実施例を説明する。
【実施例１】
【００１７】
図１は本考案の実施例１の構成を示す分解斜視図であり、図２は本実施例を薬用瓶１の瓶口１ａに装着した際の構成を示すもので、図２（ａ）は外観の斜視図、図２（ｂ）は断面図である。
【００１８】
従来例を示した図５および図６と同一符号のものは同一のものを示しているので、その説明は省略する。
【００１９】
本実施例１が、従来例と異なるところは、保護部材本体３０の構成と蓋部材４０の構成である。
【００２０】
本実施例１に係る保護部材本体３０の外観の構成においては、従来例においては円柱状であった周胴部３１の外観の構成を、多角柱状に構成してある。そして、この多角柱状の多角形の外接円の直径は、円盤状の蓋部材４０の直径以下の値となるように選ばれている。従って、蓋部材４０の装着時においては、多角柱状の周胴部３１の辺付近の蓋部材４０は周胴部３１から突出した状態になっており、従来例に比して蓋部材４０を外し易い構成となっている。
【００２１】
また、本実施例１に係る蓋部材４０の構成においては、その係止部材４１の構成が従来例とは異なっている。即ち、本実施例１に係る蓋部材４０の係止部材４１においては、保護部材透孔３３に嵌合可能な円筒状の係止部材４１の下端側に位置している、周辺方向に向って保護縁部３４に沿って倒伏される倒伏部の構成に特徴がある。
【００２２】
図３に示すように、本実施例１に係る係止部材４１の下端側に位置している倒伏部４１ａは、倒伏させた際にその先端部分が、保護縁部３４の最下端部に至らないような長さとなるようにその長さが選ばれている。従って、蓋部材４０の装着時においては、係止部材４１が保護縁部３４の下面とゴム栓３の上面によって挟持されておらず、それだけ従来例に比して小さな力で蓋部材４０を外すことができるように構成されている。
【００２３】
さらに、図３に示したように、本実施例に係る係止部材４１の倒伏部４１ａの厚みは、係止部材４１の他の部分の厚みに比して薄くなるような厚みになっているために、それだけ蓋部材４０を外し易くできる構成になっている。
【００２４】
ここで、本実施例１においては、保護部材本体３０を透明ないし半透明な合成樹脂によって構成するようにすれば、図４に示したように、口金１０の頂面板１２の上面に印刷されている表示１４を保護部材本体３０を通して外部から見えるような構成とすることができる。勿論、保護部材本体３０の頂面板３２や周胴部３１に薬液に関する事などの表示をすることもできる。
【符号の説明】
【００２５】
１  薬用瓶
１ａ  瓶口
３  ゴム栓
１０  口金
１１，３１  周胴部
１２，３２  頂面部
１２ａ，３２ａ  内側エッジ部分
１３  口金透孔
１４  表示
４０  蓋部材
３０  保護部材本体
３３  保護部材透孔
３４  保護縁部
４１  係止部材
４１ａ  倒伏部
【図１】
0003197164.tif 000003
【図２】
0003197164.tif 000004
【図３】
0003197164.tif 000005
【図４】
0003197164.tif 000006
【図５】
0003197164.tif 000007
【図６】
0003197164.tif 000008